(57)【要約】【課題】胴内排出部にシート積載部が配置され、胴内排出部よりも下側において本体ハウジングの一側面から突出する操作パネルを備える画像形成装置において、操作パネルの操作性が低下しないようにする。【解決手段】シート積載部１２ａが胴内排出部１２に配設され、胴内排出部の下側において、本体ハウジングには操作パネル２２ａが設けられている。シート積載部の一側面側端（前面端側）が本体ハウジング１１の前面で規定される基準面２３よりも後退した位置にある。【選択図】      図２
2004271896.tif 000002
【特許請求の範囲】
【請求項１】
本体ハウジングの一側面側から略水平方向に内側に延びる空間が規定され、該空間が胴内排出部として用いられて、該胴内排出部に前記胴内排出部を規定する底面から上方に離間して前記一側面側に延びる少なくとも一つのシート積載部が設けられ、さらに前記胴内排出部よりも下方で前記一側面側に設けられ該一側面側から外方向に突出する操作部を有し、該操作部によって画像成形に係る設定を行うようにした画像形成装置において、
前記シート積載部の前記一側面側端が前記一側面側で規定される基準面よりも後退した位置にあることを特徴とする画像形成装置。
【請求項２】
前記シート積載部は、画像形成された後のシートに予め定められた後処理を行うためのシート後処理装置を構成することを特徴とする請求項１に記載の画像形成装置。
【請求項３】
前記シート積載部は前記本体ハウジングに支持されており、
前記シート積載部の前記一側面側端には前記シート積載部を前記本体ハウジングから取り外すための分離レバーが設けられており、
前記分離レバーは前記シート積載部において前記シートが積載される面よりも下側に位置づけられていることを特徴とする請求項１に記載の画像形成装置。
【請求項４】
前記分離レバーの前記一側面側端は、前記基準面よりも後退した位置にあることを特徴とする請求項３に記載の画像形成装置。
【請求項５】
前記シート積載部には前記一側面方向を幅として積載可能な最大幅のシートが積載される最大シート積載部が規定されており、
前記分離レバーの前記一側面側端は前記最大シート積載部の前記一側面側端よりも前進した位置に位置づけられていることを特徴とする請求項４に記載の画像形成装置。
【請求項６】
前記シート積載部は前記本体ハウジングに支持されており、
前記本体ハウジングに支持された支持端を除く自由端が前記支持端よりも上方に位置づけられるように前記支持端が前記本体ハウジングに固定されていることを特徴とする請求項１〜５に記載の画像形成装置。
【発明の詳細な説明】
【０００１】
【発明の属する技術分野】
本発明は、電子写真プロセスを用いた複写機、プリンタ、又はファクシミリ等の画像形成装置に関し、特に、画像形成が行われた用紙（シート）を後処理する後処理装置を備える画像形成装置に関するものである。
【０００２】
【従来の技術】
一般に、画像形成装置において、画像形成が行われたシートについてステイプル処理等の後処理を行うシート後処理装置を備えて、後処理装置によってシートを後処理した後排紙するようにしたものがある。
【０００３】
この種の画像形成装置において、シートを後処理するためのシート後処理装置を内蔵したものが知られており、この画像形成装置では、本体ハウジング（筐体）に、その前面側から水平方向に延びる空間が形成されて、この空間に後処理装置を配置するとともに、シート後処理装置の下側に排紙トレイ部を配置している。
【０００４】
上述の空間は胴内排出部と呼ばれ、胴内排出部の上側において、本体ハウジングには原稿読取機構が配置され、胴内空間の下側において、本体ハウジングには、複数のシートが積載された用紙トレイ、シートにトナー像を形成するための画像形成部、及びシートに転写されたトナー像を定着させるための定着部が配置されている（以下、胴内排出部の上側に位置するハウジング部分を上側ハウジング、胴内排出部の下側に位置するハウジング部分を下側ハウジングと呼ぶことにする）。
【０００５】
そして、上述のような胴内排出部を有する画像形成装置では、シート後処理装置及び／又は排紙トレイ部（この排紙トレイ部は胴内排出部の底面（つまり、下ハウジングの上面である）に排出されたシートをユーザが目視することが容易なように、下ハウジングの前面側に操作パネルが形成されている。つまり、下ハウジングの前面側には、胴内排出部の近傍に外方向に突出する状態に操作パネルが配置されており、この操作パネルによって各種操作が行われることになる（例えば、ステイプル処理を行うか否かの選択等）。
【０００６】
ステイプル処理等の後処理が選択されないと、定着部で画像が定着されたシートは胴内排出部に設けられた排紙トレイ部に排紙され、後処理が選択されると、画像が定着されたシートはシート後処理装置に排紙されて、スタック処理及びステイプル処理等の後処理が行われた後、シート後処理装置から排紙トレイ部に搬送されることになる。
【０００７】
ところで、上述のような胴内排出部を規定して、この胴内排出部にシートを排紙するとともに、下ハウジングに操作パネルを配置して、シートを胴内排出部から容易に取り出せるようにするとともに、シート取り出しの際、誤って操作パネルに触れることがないようにした画像形成装置がある。
【０００８】
ここでは、排紙積載面に排出口に向かって緩やかな下り傾斜の曲面を形成するとともに、排紙積載面の側縁に沿って窪みを形成して、操作パネルの上面（操作面）を窪みの最下点よりも若干低い位置として、シートの取り出しを容易にするとともに、シート取り出しの際に誤って操作パネルに触れることがないようにしている（特許文献１参照）。
【０００９】
また、前述のシート後処理装置は本体ハウジングに着脱可能に設けられおり、ジャム処理等を行うため、シート後処理装置を取り外す際には、シート後処理装置の前端側に備えられた操作レバー等を操作してシート後処理装置を取り外すようにしている（特許文献２参照）。
【００１０】
さらに、前述のシート後処理装置はスタック処理を行うための中間トレイ（シート積載部）が備えられており、この中間トレイは、排紙トレイ部の上側に位置している関係上、中間トレイの全辺を支持することができず、例えば、四辺の内互いに隣り合う二辺を本体ハウジングで支持している。つまり、本体ハウジングの上下方向の中間部に前後左右の四方のうち、隣り合う二方の壁で仕切ってシート取り扱い装置を形成して、第１及び第２の排出シート積載トレイを二方の壁で支持するようにしている（特許文献３参照）。
【００１１】
【特許文献１】
特開２００１−１３００８９公報（段落（００３４）〜段落（００３７）、第１図）
【特許文献２】
特開２００１−２４７２４８公報（段落（００３３）〜段落（００３９）、第５図〜第８図）
【特許文献３】
特開２００２−３０８５１１公報（段落（００２８）〜段落（００３３）、第１図〜第３図）
【００１２】
【発明が解決しようとする課題】
ところで、特許文献１に記載された画像形成装置においては、排紙積載面の側縁に沿って窪みを形成して、操作パネルを窪みの最下点よりも若干低い位置とし、シートの取り出しを容易にするとともに、シート取り出しの際に誤って操作パネルに触れることがないようにしているものの、胴内排出部にシート後処理装置を配置すると、そのシート後処理装置（特に、中間トレイ）が本体ハウジングの前面側に突出して、下側ハウジングの前面側に備えられた操作パネルが中間トレイの一部で覆われてしまい、ユーザが操作パネルを目視しずらくなってしまい、操作パネルの操作性が低下してしまうという課題がある。
【００１３】
同様にして、特許文献２に記載された画像形成装置においても、シート後処理装置（例えば、中間トレイ）の前端に備えられた操作レバーが本体ハウジングの前面側に突出して、この操作レバーが邪魔となって、操作パネルの操作性が低下するという課題がある。
【００１４】
加えて、特許文献３に記載されたシート取り扱い装置においては、第１及び第２の排出シート積載トレイを二方の壁で支持しているだけであるので、多量のシートが排紙された際、排出シート積載トレイ（例えば、中間トレイ）が支持されていない側に傾いてしまい、最悪の場合には、排出シート積載トレイからシートが落ちてしまうという課題がある。そして、排紙トレイ部は、胴内排出部の底面を用いている関係上、多量のシートを積載することはできるが、中間トレイは排紙トレイ部の上側に位置するため、その四辺（少なくとも三辺）を支持することは難しい。
【００１５】
本発明の目的は、胴内排出部にシート後処理装置又はシート積載部が配置された画像形成装置において、操作パネルの操作性が低下することなく、しかもシート後処理装置で用いられる中間トレイ（シート積載部）に多量のシートを排紙することのできる画像形成装置を提供することにある。
【００１６】
【課題を解決するための手段】
本発明によれば、本体ハウジングの一側面側から略水平方向に内側に延びる空間が規定され、該空間が胴内排出部として用いられて、該胴内排出部に前記胴内排出部を規定する底面から上方に離間して前記一側面側に延びる少なくとも一つのシート積載部が設けられ、さらに前記胴内排出部よりも下方で前記一側面側に設けられ該一側面側から外方向に突出する操作部を有し、該操作部によって画像成形に係る設定を行うようにした画像形成装置において、前記シート積載部の前記一側面側端が前記一側面側で規定される基準面よりも後退した位置にあることを特徴とする画像形成装置が得られる。
【００１７】
このようにして、胴内排出部にシート積載部が配置され、胴内排出部の下側に操作部が配置された画像形成装置において、シート積載部の一側面側端が一側面側で規定される基準面よりも後退した位置にあるようにすれば、シート積載部によって操作部が覆われてしまうことがなく、操作部の操作性が低下することがない。
【００１８】
例えば、前記シート積載部は、画像形成された後のシートに予め定められた後処理を行うためのシート後処理装置を構成している。
【００１９】
また、本発明では、前記シート積載部は前記本体ハウジングに支持されており、前記シート積載部の前記一側面側端には前記シート積載部を前記本体ハウジングから取り外すための分離レバーが設けられており、前記分離レバーは前記シート積載部において前記シートが積載される面よりも下側に位置づけられており、前記分離レバーの前記一側面側端は、前記基準面よりも後退した位置にある。そして、望ましくは、前記シート積載部に前記一側面方向を幅として積載可能な最大幅のシートが積載される最大シート積載部が規定されている際、前記分離レバーの前記一側面側端は前記最大シート積載部の前記一側面側端よりも前進した位置に位置づけられる。
【００２０】
このように、分離レバー（操作レバー）をシート積載部においてシートが積載される面よりも下側に位置づけ、分離レバーの一側面側端が基準面よりも後退した位置にあるようにすれば、シート積載面へのシートの搬送及び積載が妨げられることがなく、しかも、分離レバーによって操作部の操作が邪魔になることがない。
【００２１】
なお、前記シート積載部では、前記本体ハウジングに支持された支持端を除く自由端が前記支持端よりも上方に位置づけられるように前記支持端が前記本体ハウジングに固定されている。
【００２２】
このように、シート積載部において、本体ハウジングに支持された支持端を除く自由端を、支持端よりも上方に位置づけられるように支持端が本体ハウジングに固定しているので、多量のシートがシート積載部に積載されても、自由端側が支持端よりも下がることがなく、シートがシート積載部から落下することがない。
【００２３】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００２４】
まず、図１を参照して、図１は画像形成装置を前面側から破断して示す図であり、図示の画像形成装置１０は本体ハウジング（装置筐体）１１を備えており、装置筐体１１には、その前面側から略水平方向の内側に延びる空間が規定されており、この空間が胴内排出部１２として用いられる。ここでは、説明の便宜上、装置筐体１１が、胴内排出部１２の上側に位置する上ハウジング１１Ａ及び胴内排出部１２の下側に位置する下ハウジング１１Ｂに別れているとして説明する。
【００２５】
胴内排出部１２の底面は排紙トレイ部１２ａとして用いられ、胴内排紙部１２において、排紙トレイ部１２ａの上側には、例えば、シート後処理装置２１が配置され、このシート後処理装置２１にはステイプル処理されるシートをスタックするための中間トレイ１２ｂが備えられている。
【００２６】
上ハウジング１１Ａには、原稿読取機構１３が内蔵されるとともに、原稿読取機構に原稿を自動搬送するための原稿送り装置（図示せず）が備えられている。一方、下ハウジング１１Ｂには、用紙カセット１４、画像形成ユニット１５、レーザスキャナユニット（ＬＳＵ）１６、及び定着ユニット１７が内蔵されており、画像形成ユニット１５は、感光体ドラム１５ａ、帯電器１５ｂ、現像器１５ｃ、及びクリーニングユニット１５ｄを有している。なお、図１には示されていないが、胴内排出部１２の近傍において、下ハウジング１１Ｂには前側に突出する操作パネルが配設されている。この操作パネルは、画像形成に当たって、各種設定を行うとともに画像形成開始を行うためのものである。
【００２７】
いま、操作パネルで、画像形成開始が指示されると、原稿送り装置によって原稿が原稿読取機構１３に送られて、ここで原稿上の画像が読み取られ、画像データを得る。画像形成ユニット１５では、帯電器１５ｂによって感光体ドラム１５ａの表面を均一に帯電した後、前述の画像データに応じてＬＳＵ１６によって感光体ドラム１５ａを露光して、感光体ドラム１５ａ上に静電潜像を形成する。その後、この静電潜像は、現像器１５ｃで現像されてトナー像となる。
【００２８】
一方、用紙カセット１４に積載されたシートは、送り出しローラ１４ａによって一枚ずつシート搬送路に送り出される。シートはレジストローラ１８でタイミング調整されて、感光体ドラム１５ａと転写ローラ１９とのニップ部に搬送されて、感光体ドラム１５ａ上のトナー像が転写像としてシートに転写される。そして、シートは定着ユニット１７に送られて、ここで転写像がシートに定着される。
【００２９】
定着ユニット１７の下流側には、切換爪２０が備えられており、この切換爪２０によって、定着ユニット１７から送出されたシートの経路が切り替えられる。ここで、操作パネルによって後処理を行わないモード（非後処理モード）が選択されていると、切換爪２０によって排紙経路が排紙トレイ部１２ａに連結されて、シートは排紙トレイ部１２ａに排紙されることになる。一方、操作パネルによって後処理が選択されていると（後処理モード）、切換爪２０によって排紙経路がシート後処理装置２１に連結されて、シートは中間トレイ部１２ｂに排紙されることになる。
【００３０】
例えば、シート後処理装置２１は、第１及び第２のユニット２１ｂ及び２１ｂを備えており、第１のユニット２１ａに前述の中間トレイ１２ｂが備えられて、第１のユニット２１ａでは画像形成後のシートを、中間トレイ１２ｂを用いてスタック処理する。
【００３１】
また、第２のユニット２１ｂは定着ユニット１７からシートを中間トレイ１２ｂに排紙するとともに、後処理の後、中間トレイ１２ｂ上のシート束を排紙トレイ部１２ａに搬送する機能を有している。さらに、第２のユニット２１ｂでは、例えば、ステイプラ（図１には示さず）を備えて、第１のユニット２１ａでスタック処理されたシート束をステイプル処理する機能を有している。
【００３２】
ここで、図２を参照して、図２（ａ）は画像形成装置を側方からみた断面図であり、図２（ｂ）は画像形成装置を上方からみた図である。図示のように、上ハウジング１１Ａと下ハウジング１１Ｂとの間には、胴内排出部１２が規定され、この胴内排出部１２にはシート後処理装置２１が配置されている。図示の例では、上ハウジング１１Ａと下ハウジング１１Ｂとが連結ハウジング１１Ｃで連結されて、胴内排出部１２には、第１のユニット２１ａを構成する中間トレイ１２ｂが位置づけられている（図２（ａ）参照）。
【００３３】
下ハウジング１１Ｂの前面側には前方に突出する操作パネル取り付け部２２が設けられており、この操作パネル取り付け部２２には、図２（ｂ）に示すように、その中央部に操作パネル（操作面）２２ａが規定されている。操作パネル取り付け部２２の上面側は、その後端（図２（ａ）において右端）が下ハウジング１１Ｂの前面に一体に成形されており、下ハウジング１１Ｂは操作パネル取り付け部２２の上面後端から立ち上がる立ち上がり面２３を有している（この立ち上がり面２３は下ハウジング１１Ｂの前面を構成している）。つまり、操作パネル取り付け部２２は、胴内排出部１２から立ち上がり面２３の上下方向長さ（鉛直方向長さ）分下がった位置に取り付けられていることになる。
【００３４】
一方、上ハウジング１１Ａの前面は、立ち上がり面２３を基準面とした際、この基準面よりも後方に後退している。さらに、シート後処理装置２１（中間トレイ）の前端も基準面よりも後退した位置に位置づけられている。
【００３５】
つまり、図２（ａ）及び（ｂ）において、上方から投影した際、シート後処理装置２１の前端が下ハウジング１１Ｂの立ち上がり面２３よりも後退した位置に投影され、シート後処理装置２１によって操作パネル２２ａが覆われることがなく、ユーザが操作パネル２２ａを操作する際、シート後処理装置２１が邪魔となって、操作パネル２２ａの操作性が損なわれることがない。
【００３６】
上述の例では、胴内排出部１２にシート後処理装置２１を配置する例について説明したが、シート後処理装置に限らず、シートを積載するシート積載部を胴内排出部１２に配置する場合においても、前述のように、シート積載部の前端側を基準面よりも後退させて位置づけるようにすればよい。つまり、少なくとも一つのシート積載部を胴内排出部１２に配置する画像形成装置において、シート積載部の前端側を基準面よりも後退させて位置づけるようにすればよい。
【００３７】
ここで、再び図１を参照するとともに、図３を参照して、中間トレイ１２ｂは、本体ハウジング１１に二辺で支持されている関係上（例えば、図３において、辺ＡＢ及び辺ＡＣの二辺で本体ハウジング１１に支持されており、辺ＢＤ及び辺ＣＤは支持されていない）、点Ｄは自由端となっている。
【００３８】
このような状況において、中間トレイ１２ｂに多量のシートが排紙されると、不可避的に点Ｄが下方にさがり、最悪の場合には、中間トレイ１２ｂからシートが落下してしまうことがある。このような不具合を防止するため、ここでは、点Ｄを点Ａ〜Ｃよりも上側に位置づけるように、中間トレイ１２ｂを本体ハウジング１１に取り付けるようにする。
【００３９】
このようにして、中間トレイ１２ｂの取り付けを規定すると、中間トレイ１２ｂに多量のシートが排紙されて、点Ｄ側が多少下がっても、点Ｄは点Ａ〜Ｃよりも下側に位置することがほとんどなく、シートが中間トレイ１２ｂから落下することはない。
【００４０】
同様にして、例えば、辺ＡＢのみで本体ハウジング１１に取り付けられている際には、点Ｃ及びＤが点Ａ及びＢよりも上方に位置するように中間トレイ１２ｂを本体ハウジング１１に取り付けるようにすればよく、辺ＡＣのみで本体ハウジング１１に取り付けられている際には、点Ｂ及びＤが点Ａ及びＣよりも上方に位置するように中間トレイ１２ｂを本体ハウジング１１に取り付けるようにすればよい。
【００４１】
ここで、図４を参照して、シート後処理装置２１の他の例について説明する。第２のユニット２１ｂは、ケーシング５１を備え、その上面５３の前部側にはステイプラ５２が備えられている。また、ケーシング５１の後面５４には、第２のユニット２１ｂを本体ハウジング１１に取り付ける際用いられる一対のピン５５が突出している。さらに、ケーシング５１の上面５３の前部側には、第２のユニット２１ｂを本体ハウジング１１に取り付ける際に用いられる取付ステー５６が突出している。
【００４２】
第１のユニット２１ａ側の縁部５７において、ケーシング５１には、シートが搬送される搬送路を中間トレイ１２ｂに連通させるシート搬送開口５８が形成されている。さらに、縁部５７の後部側には、第１のユニット２１ａに形成された支持溝５９に嵌合して、第１のユニット２１ａの左後部側を支えるためのピン６０が突出して設けられている。そして、縁部５７の前部側には、第１のユニット２１ａの進退アーム６１を挿入させて、第１のユニット２１ａの左前部側を支えるための支持孔６２が形成されている。
【００４３】
なお、中間トレイ１２ｂの前端側には進退アーム６１を進退させるための操作レバー７７が設けられており、この操作レバー７７は中間トレイ１２ｂの上面（搬送面）よりも下側に位置づけられて、前面側に突出している。
【００４４】
第１のユニット２１ａはケーシング６３を備えており、このケーシング６３の上面によって中間トレイ１２ｂが規定されている。ケーシング６３には、第２のユニット２１ｂに対向する縁部の後部側に、前述した支持溝５９が形成された支持溝形成体６４が設けられており、例えば、支持溝５９は下側に開放する半円弧溝であり、ピン６０に係合した状態で、第１のユニット２１ａが第２のユニット２１ｂに対して前後に移動するのを防止している。
【００４５】
ここで、操作レバー７７を前方側に引っ張ると、付勢部材（図示せず）に抗して進退アーム６１が第１のユニット２１ａ内に後退して支持孔６２に対する係合が外れる。一方、操作レバー７７を離すと、付勢部材が進退アーム６１を第１のユニット２１ａから突出させ、これに伴って、操作レバー７７が後方側に戻される。
【００４６】
なお、ケーシング６３の上面には、シートの幅を合わせるとともに、幅合わせしたシートをステイプル処理位置まで前進させた後、元のシート搬送位置まで後退させるための幅合わせ部材３７及び３８が備えられている。
【００４７】
また、第１及び第２のユニット２１ｂ及び２１ｂが結合された状態で、図中第２のユニット２１ｂの左側面と第１及び第２のユニット２１ｂ及び２１ｂの後端側が本体ハウジング１１に取り付けられているが、第１のユニット２１ａには取り付け機構は示されていないが、前述のようにして、操作レバー７７を前側に引くことによって、第１のユニット２１ａが第２のユニット２１ｂから分離され、その後、第１のユニット２１ａを手前側に引けば、第１のユニットを取り外すことができる。
【００４８】
ここで、図５を参照して、図５（ａ）は上述したシート処理装置を備える画像形成装置を側方から示す断面図であり、図５（ｂ）は上方から示す図である。なお、図５（ａ）及び（ｂ）において、図２（ａ）及び（ｂ）に示す構成要素と同一の参照番号については同一の参照番号を付す。
【００４９】
中間トレイ１２ｂの上面は搬送面とされ、前述の幅合わせ部材３７及び３８によって最大シート積載可能シート幅が規定されることになる。つまり、図４において、幅合わせ部材３７及び３８が最も離間した距離が最大シート幅となり、幅合わせ部材３７及び３８が最大シート幅に位置づけられた状態を最大シート積載部と呼ぶことにし、これを符号３１で示す。
【００５０】
前述の操作レバー７７は後退した位置（前側に引かれていない状態）において、その前端は、前述の基準面よりも後退した位置にあり、望ましくは、操作レバー７７の前端は前述の最大シート積載部３１の前端側よりも前側に位置づけられている。
【００５１】
つまり、図５（ａ）及び（ｂ）において、上方から投影した際、操作レバー７７の前端が上ハウジング１１Ａの立ち上がり面２３よりも後退した位置に投影されるように操作レバー７７を配置し、しかも、操作レバー７７の前端が最大シート積載部３１よりも前側に位置するように操作レバー７７を配置することが望ましい。
【００５２】
このようにすれば、操作レバー７７によって操作パネル２２ａが覆われることがなく、ユーザが操作パネル２２ａを操作する際、シート後処理装置２１が邪魔となって、操作パネル２２ａの操作性が損なわれることがない。また、操作レバー７７は中間トレイ１２ｂの搬送面よりも下側に位置づけられているから、シート搬送及びシート積載の妨げとなることがない。
【００５３】
【発明の効果】
以上説明したように、本発明では、胴内排出部にシート積載部が配置され、胴内排出部の下側に操作部が配置された画像形成装置において、シート積載部の一側面側端が一側面側で規定される基準面よりも後退した位置にあるので、シート積載部によって操作部が覆われてしまうことがなく、操作部の操作性が低下することがないという効果がある。
【００５４】
本発明では、分離レバー（操作レバー）をシート積載部においてシートが積載される面よりも下側に位置づけ、分離レバーの一側面側端が基準面よりも後退した位置にあるようにしたので、シート積載面へのシートの搬送及び積載が妨げられることがなく、しかも、分離レバーによって操作部の操作が邪魔になることがないという効果がある。
【００５５】
本発明では、シート積載部において、本体ハウジングに支持された支持端を除く自由端が支持端よりも上方に位置づけられるように支持端が本体ハウジングに固定されているので、多量のシートがシート積載部に積載されても、自由端側が支持端よりも下がることがなく、シートがシート積載部から落下するという不都合を防止できるという効果がある。
【図面の簡単な説明】
【図１】本発明による画像形成装置の一例を前方から破断して示す概要図である。
【図２】図１に示すシート後処理装置と操作パネルとの関係を説明するための図であり、（ａ）は側方から示す概略図、（ｂ）は上方から示す概略図である。
【図３】図１に示すシート後処理装置の支持を中間トレイを例に挙げて説明するための概念図である。
【図４】シート後処理装置の他の例を分解して示す斜視図である。
【図５】図４に示すシート後処理装置を用いた際の操作レバーと操作パネルとの関係を説明するための図であり、（ａ）は側方から示す概略図、（ｂ）は上方から示す概略図である。
【符号の説明】
１１  本体ハウジング（装置筐体）
１１Ａ  上ハウジング
１１Ｂ  下ハウジング
１２  胴内排出部
１２ｂ  中間トレイ
２１  シート後処理装置
２２  操作パネル取り付け部
２２ａ  操作パネル（操作面）
２３  立ち上がり面（基準面）
【図１】
2004271896.tif 000003
【図２】
2004271896.tif 000004
【図３】
2004271896.tif 000005
【図４】
2004271896.tif 000006
【図５】
2004271896.tif 000007